(57)【要約】【課題】大型化を抑制するとともに、疑似的に屋外光を出射することができる光環境演出装置を提供する。【解決手段】光環境演出装置１は、光源６０と、透光性を有する光拡散板５と、光源６０を収容する筐体３とを備える。また、筐体３は、筐体３の内面に青色の非鏡面である光拡散面４１を有する。さらに、光源６０から出射した光は、光拡散面４１に入射する。そして、光拡散板５は、光拡散面４１で拡散した光を透過させるように筐体３に固定されている。【選択図】図２
2018116163.tif 000002
【特許請求の範囲】
【請求項１】
光源と、
透光性を有する光拡散板と、
前記光源を収容する収容体とを備え、
前記収容体は、前記収容体の内面に青色の非鏡面である光拡散面を有し、
前記光源から出射した光は、前記光拡散面に入射し、
前記光拡散板は、前記光拡散面で拡散した光を透過させるように前記収容体に固定されている
光環境演出装置。
【請求項２】
さらに、光が通過する開口部が形成された枠部を備え、
平面視した場合に、前記枠部は、前記光源を覆うように設けられ、
前記光拡散板は、前記開口部を覆うよう前記枠部に固定されている
請求項１に記載の光環境演出装置。
【請求項３】
前記枠部は、前記開口部に沿って、前記開口部から前記収容体の内部に突出する立壁部を有する
請求項２に記載の光環境演出装置。
【請求項４】
前記枠部の内周面は、光の反射を抑制する黒色又は青色である
請求項２又は３に記載の光環境演出装置。
【請求項５】
前記光拡散板は、前記光拡散面の一部である前記収容体の底部と対向するように配置され、
前記光源は、前記光源の光軸が前記収容体の前記底部と交差する姿勢で前記収容体に配置される
請求項１〜４のいずれか１項に記載の光環境演出装置。
【請求項６】
前記光拡散面には、基準位置から遠ざかるに従って、青色の濃淡が淡くなるグラデーション模様が施されている
請求項１〜５のいずれか１項に記載の光環境演出装置。
【請求項７】
前記光源は、白色光を出射する白色光源、及び青色光を出射する青色光源の少なくとも一方を有する
請求項１〜６のいずれか１項に記載の光環境演出装置。
【請求項８】
前記光拡散面では、反射する光のうち正反射する光が２０％以下である
請求項１〜７のいずれか１項に記載の光環境演出装置。
【発明の詳細な説明】
【技術分野】
【０００１】
本発明は、光環境演出装置に関し、特に、屋外光を感じさせる演出を行うことができる光環境演出装置に関する。
【背景技術】
【０００２】
従来、光源と、シート状の拡散反射部材（光拡散板の一例）とを備えた窓装置（光環境演出装置の一例）が開示されている（例えば特許文献１参照）。この窓装置では、光源を点灯させることで、昼間の光環境を模している。
【先行技術文献】
【特許文献】
【０００３】
【特許文献１】実開平０５−８７７２７号公報
【発明の概要】
【発明が解決しようとする課題】
【０００４】
しかしながら、従来の光環境演出装置では、太陽が光拡散板のすぐ近くに存在するかのように見えてしまう。このため、疑似的な屋外光を出射させるには、光源を光拡散板から離間させる必要がある。
【０００５】
また、従来の光環境演出装置を壁や天井などの設備に設けたとしても、色温度や輝度が均一であるため、この光環境演出装置では自然の空を再現し難い。そこで、青色光を出射する光源を用いて空を再現することも考えられるが、屋外光を出射させることは困難である。
【０００６】
そこで、本発明は、大型化を抑制するとともに、疑似的に屋外光を出射することができる光環境演出装置を提供することを目的とする。
【課題を解決するための手段】
【０００７】
上記目的を達成するために、本発明に係る光環境演出装置の一態様は、光源と、透光性を有する光拡散板と、前記光源を収容する収容体とを備え、前記収容体は、前記収容体の内面に青色の非鏡面である光拡散面を有し、前記光源から出射した光は、前記光拡散面に入射し、前記光拡散板は、前記光拡散面で拡散した光を透過させるように前記収容体に固定されている。
【発明の効果】
【０００８】
本発明によれば、光環境演出装置の大型化を抑制するとともに、疑似的に屋外光を出射することができる。
【図面の簡単な説明】
【０００９】
【図１】図１は、実施の形態に係る光環境演出装置を示す斜視図である。
【図２】図２は、図１のＩＩ−ＩＩ線における実施の形態に係る光環境演出装置を示す断面図である。
【図３】図３は、実施の形態に係る光環境演出装置を示すブロック図である。
【図４】図４は、実施の形態の変形例１に係る光環境演出装置における収容体の内面のグラデーション模様を示す図である。
【図５】図５は、実施の形態の変形例１に係る光環境演出装置の配光を示すイメージ図である。
【図６】図６は、実施の形態の変形例２に係る光環境演出装置における収容体の内面のグラデーション模様を示す図である。
【図７】図７は、実施の形態の変形例２に係る光環境演出装置の配光を示すイメージ図である。
【発明を実施するための形態】
【００１０】
（本発明の基礎となった知見）
室内に窓から自然の空を模した光（屋外光）が差し込む場合において、色温度や輝度がグラデーション状に連続的に変化している。このため、光環境演出装置を用いて疑似的な屋外光を演出する場合に、屋外光を如何にして出射するかが重要な課題となる。
【００１１】
例えば通常の照明装置を用いて自然に近い採光環境を整えようとしても、照明装置から輝度ムラ、色ムラ等が抑制された均一な光が出射され、実際の空を見ているような奥行きを感じ難い。このため、通常の照明装置を天井、壁等に設置したとしても閉塞感を与えてしまう。
【００１２】
建築上の観点から屋外光を取り入れ難い施設内等において、屋外光を出射させることができれば、使用者に開放感を与えたり、使用者をリラックスさせたりすることができる。
【００１３】
そこで従来の光環境演出装置では、例えば、会議室の天井壁面等に形成した開口部に光拡散板を装着し、この光拡散板の周囲（外周側）に光源を配置している。光源から出射した光は、光拡散板で光が拡散されるため、屋外光の差込みをイメージすることができる。
【００１４】
しかしながら、光源が光拡散板の周囲に配置された構成では、太陽は光拡散板のすぐ近くに存在するかのように見えてしまい、疑似的な屋外光を出射することができなくなる。このため、光源は、光拡散板から遠く離して配置しなければならず、光環境演出装置が大型化してしまう。
【００１５】
そこで、大型化を抑制しつつ、疑似的に屋外光を照射することができる光環境演出装置が求められている。
【００１６】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１７】
また、「略＊＊」との記載は、「略同一」を例に挙げて説明すると、全く同一はもとより、実質的に同一と認められるものを含む意図である。
【００１８】
なお、各図は、模式図であり、必ずしも厳密に図示されたものではない。また、各図において、実質的に同一の構成に対しては同一の符号を付しており、重複する説明は省略又は簡略化する。
【００１９】
以下、本発明の実施の形態に係る光環境演出装置について説明する。
【００２０】
（実施の形態）
［構成］
まず、本実施の形態に係る光環境演出装置１の構成について図１〜図３を用いて説明する。
【００２１】
図１は、本実施の形態に係る光環境演出装置１を示す斜視図である。図２は、図１のＩＩ−ＩＩ線における本実施の形態に係る光環境演出装置１を示す断面図である。図３は、本実施の形態に係る光環境演出装置１を示すブロック図である。
【００２２】
図１では、光環境演出装置１の高さ（厚み）方向をＺ軸方向と規定し、Ｚ軸方向と交差する方向をＹ軸方向と規定し、Ｚ軸方向及びＹ軸方向と直交する方向をＸ軸方向と規定する。そして、図２以降の各図に示す各方向は、全て図１に示す各方向に対応させて表示する。
【００２３】
図１に示すように、光環境演出装置１は、疑似的に屋外光を感じさせる演出を行うことができる装置である。光環境演出装置１は、例えば、施設の天井、壁等に設けられる光を出射する装置であり、特に、自然の採光を得難い施設内等に設置されてもよい。光環境演出装置１は、例えば、造営材に埋め込まれるように設けられていてもよい。
【００２４】
図１及び図３に示すように、光環境演出装置１は、筐体３（収容体の一例）と、光拡散板５と、発光モジュール６と、制御部８と、２つの電源部９１、９２とを備える。
【００２５】
筐体３は、扁平な箱体であり、平面視で略矩形状をなしている。なお、筐体３の形状は、長方形状に限らず、円形状、多角形状、半円状等の形状でもよく、形状は特に限定されない。
【００２６】
筐体３は、収容部３１と、枠部３２とを有する。
【００２７】
図２及び図３に示すように、収容部３１は、少なくとも発光モジュール６を収容する扁平な箱体である。収容部３１には、Ｚ軸マイナス方向側で開放した収容開口部３１ｃが形成されている。収容部３１に制御部８、２つの電源部９１、９２が収容されていてもよく、制御部８、２つの電源部９１、９２が収容部３１の外側に設けられていてもよい。
【００２８】
図２に示すように、本実施の形態では、収容部３１の内面には、光を拡散する光拡散層４０が積層されている。光拡散層の内側の面（収容部３１と接触している面と反対側の面）が、光を拡散する光拡散面４１である。
【００２９】
光拡散面４１は、青色を含む色で着色された非鏡面である。青色を含む色で着色とは、人が光拡散面４１を見た場合に青色と認識できる色合いである。光拡散面４１は、反射する光のうち正反射する光が２０％以下である。なお、収容部３１が、光を拡散するように、青色の非鏡面である光拡散面４１を備えた材質であってもよい。
【００３０】
光拡散面４１は、例えば、樹脂材料、金属材料等が収容部３１の内面に塗装されて形成された面でもよく、化学繊維、セルロース繊維等が収容部３１の内面に貼り付けられて形成された面でもよく、スウェード調のような表面であってもよい。つまり、光拡散面４１には、入射した光が拡散され易いような艶消しがなされている。言い換えれば、光拡散面４１は、艶消しがなされた非光沢面である。本実施の形態では、収容部３１の内面は、アルミニウム粉を含む材料で塗装されている。本実施の形態では、光拡散面４１は、一様に青色を含む色で着色されている。
【００３１】
収容部３１は、略平板状の底壁部３１ａと、側壁部３１ｂとを有する。
【００３２】
側壁部３１ｂは、底壁部３１ａの外周を囲む筒状体であり、底壁部３１ａの平面視で略矩形状をなしている。側壁部３１ｂのＺ軸マイナス方向側の端縁が収容開口部３１ｃである。側壁部３１ｂの内周面には、光拡散面４１が形成されている。より具体的には、側壁部３１ｂの内周面には光拡散層４０が積層され、この光拡散層４０の内周面（光拡散層４０が側壁部３１ｂと接する面とは反対側の面）が光拡散面４１である。本実施の形態では、側壁部３１ｂには、４つの光拡散面４１が形成されている。
【００３３】
底壁部３１ａは、収容部３１のＺ軸プラス方向側の端縁に設けられ、側壁部３１ｂのＺ軸プラス方向側の端縁を塞いでいる。底壁部３１ａのＺ軸マイナス方向側の面には、光拡散面４１が形成されている。具体的には、底壁部３１ａのＺ軸マイナス方向側の面には光拡散層４０が積層され、この光拡散層４０のＺ軸マイナス方向側の面が光拡散面４１である。つまし、収容部３１の内周面には５つの光拡散面４１が形成されている。
【００３４】
枠部３２は、例えば、平面視で略矩形状をなした環状の部材である。枠部３２は、収容開口部３１ｃを覆うように、収容部３１におけるＺ軸マイナス方向側の端縁に設けられる。言い換えれば、枠部３２は、平面視で収容部３１の外周側と重なるように、収容部３１のＺ軸マイナス方向側に設けられる。なお、枠部３２は、屋外光が差し込んでいるかのような感覚を得るように、窓枠を模したデザインであってもよい。なお、枠部３２の形状は、長方形状に限らず、円形状、多角形状、半円状等の形状でもよく、形状は特に限定されない。
【００３５】
枠部３２は、枠本体部３３と、立壁部３４とを有する。
【００３６】
枠本体部３３は、その中央部に略矩形状の開口部３５が形成される。開口部３５は、光拡散面４１で拡散した光が通過する。開口部３５には、光拡散板５が設けられる。枠本体部３３が、収容部３１のＺ軸マイナス方向側の端縁に設けられる。
【００３７】
立壁部３４は、開口部３５に沿って、開口部３５から収容部３１の内部に突出する立壁である。立壁部３４は、発光モジュール６の光源６０から出射する光が直接、光拡散板５に入射しないように設けられている。立壁部３４は、発光モジュール６の光源６０と光拡散板５とを結ぶ直線と交差する位置に配置される。つまり、立壁部３４は、発光モジュール６の光源６０から光拡散板５に向かう光を遮っている。
【００３８】
枠部３２の内周面３２ａは、光の反射を抑制する黒色又は青色である。例えば、内周面３２ａは、黒色又は青色に塗られ、光の反射を抑制するように艶消しがなされていてもよい。なお、枠部３２が光の反射を抑制する黒色又は青色の材質であってもよい。内周面３２ａを黒色とした場合では、内周面３２ａが光を吸収し易くなる。また、内周面３２ａを青色とした場合では、収容部３１の光拡散面４１と同様の色となる。つまり、内周面３２ａで反射した光によって、光拡散板５に輝度斑及び色斑を視認し難くなる。
【００３９】
光拡散板５は、平面視で長方形状の板状の部材であり、光拡散面４１で拡散した光を透過させるように筐体３に固定されている。光拡散板５は、光拡散面４１の一部である筐体３の底壁部３１ａと対向するように配置されている。本実施の形態では、光拡散板５は、筐体３の底壁部３１ａと対向するように、枠部３２に固定されている。
【００４０】
光拡散板５は、透光性、及び、光を拡散させる光拡散性を有している。光拡散板５は、入射面５ａと、出射面５ｂとを有する。入射面５ａは、例えば、光拡散面４１で拡散した光が入射する面である。出射面５ｂは、例えば、入射面５ａから入射した光が光拡散板５を透過して出射する面である。
【００４１】
光拡散板５は、筐体３の内面のテクスチャを視認することができない程度に、曇っていることが好ましい。光拡散板５の曇り度（ヘーズ値）は、約１０％から９０％程度までであることが好ましい。ここで、曇り度とは、（拡散透過率／全透過率）×１００で定義される量を指す。拡散透過率とは、光拡散板５に平行光を入射したときの全入射光量に対する、光拡散板５から出射される光のうち、所定の射出角以上（例えば、平行光に対して±５°）の射出角を有する射出光の光量の比を指す。光拡散板５の曇り度が所定値を超え出すと、光の拡散透過率が高くなるため、光環境演出装置１における自然に近い採光環境を演出することができ難くなる。
【００４２】
光拡散板５は、アクリル、ＰＥＴ（Ｐｏｌｙ  Ｅｔｈｙｌｅｎｅ  Ｔｅｒｅｐｈｔｈａｌａｔｅ）等の樹脂材料、又はガラスを基材としている。光拡散板５は、光拡散材が内部に分散された乳白色の拡散パネルであってもよい。このような拡散パネルは、光拡散材を混合した透光性樹脂材料を所定形状に樹脂成型することによって作製してもよい。光拡散材としては、シリカ粒子等の光反射性微粒子を用いてもよい。
【００４３】
また、光拡散板５としては、内部に光拡散材を分散させるのではなく、透明パネルの表面（内面又は外面）に光拡散材等を含む乳白色の光拡散膜を形成することによって構成されていてもよい。
【００４４】
さらに、光拡散板５は、光拡散材を用いるのではなく、拡散加工を施すことによって光拡散性を有するように構成されていてもよい。例えば、シボ加工等の表面処理を施すことによって透明パネルの表面に微小凹凸を形成したり、透明パネルの表面にドットパターンを印刷したりすることによって、光拡散性を有するように構成してもよい。この場合、光拡散板５では、微小凹凸のテクスチャを視認することができない大きさであることが好ましい。なお、拡散加工する場合であっても、光拡散性を高めるために、さらに光拡散材を光拡散板５に含有させてもよい。
【００４５】
発光モジュール６は、複数の互いに異なる発光色を有する。発光モジュール６は、光源６０と、光源６０が配置される配線基板６３とを有するモジュールである。本実施の形態では、４つの発光モジュール６が、枠部３２の枠本体部３３に沿うように、枠本体部３３のＺ軸プラス方向側の面に配置されている。なお、発光モジュール６は４つに限定されず、３つ以下でもよく、５つ以上でもよい。
【００４６】
発光モジュール６は、光拡散面４１に向けて光を出射する姿勢で筐体３に配置される。具体的には、発光モジュール６は、白色光源６１及び青色光源６２の光軸Ｊが枠部３２における底壁部３１ａの光拡散面４１と交差する姿勢で、筐体３に配置されている。本実施の形態では、白色光源６１及び青色光源６２の各々の光軸Ｊがこの底壁部３１ａにおける光拡散面４１の略中央と交差している。言い換えれば、光源６０の各々の光軸Ｊが光拡散面４１の中央部分（中心を含む領域）に向いている。なお、本実施の形態では、光源６０の光軸Ｊが底壁部３１ａの光拡散面４１と交差しているが、光源６０の光軸Ｊが枠部３２の側壁部３１ｂにおける光拡散面４１と交差していてもよく、中央部分に限定されない。
【００４７】
光源６０は、白色光を出射する白色光源６１、及び青色光を出射する青色光源６２の少なくとも一方を有する。本実施の形態では、光源６０は、複数の白色光源６１と、複数の青色光源６２とを有する。白色光源６１及び青色光源６２は、配線基板６３の長手方向と略平行に配列されている。なお、白色光源６１及び青色光源６２は、配線基板６３に交互に配列されていてもよく、複数個づつ配線基板６３に配列されていてもよい。
【００４８】
白色光源６１は、白色光を出射する。白色光とは、厳密な意味で白色を意味しているのではなく、通常、白色と見える光を意味している。青色光源６２は、青色光を出射する。青色光とは、厳密な意味で青色を意味しているのではなく、通常、青色と見える光を意味している。
【００４９】
図１及び図３に示すように、複数の白色光源６１及び複数の青色光源６２は、いわゆるＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子であってもよい。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。複数の白色光源６１及び複数の青色光源６２は、制御部８により制御されて点灯、調光（明るさの調節）、及び消灯を行う。また、複数の白色光源６１及び複数の青色光源６２は、制御部８が２つの電源部９１、９２を個別に又は同時に制御して（電力の供給量を調節することで）調光制御（明るさの制御）及び調色制御（発光色の制御）が行われる。本実施の形態では、発光モジュール６は、調光制御および調色制御が可能であってもよい。
【００５０】
制御部８は、使用者からの指示（リモコン等を介した制御信号）に従って、発光モジュール６の点灯、消灯、調光、および調色（発光色又は色温度の調整）等の動作を制御する。制御部８は、例えば、一方の電源部９１を制御して白色光源６１の明るさを大きくするととともに、他方の電源部９２を制御して青色光源６２の明るさを小さくするといった、白色光源６１及び青色光源６２の調光制御を行う。制御部８は、発光モジュール６等を制御するための回路等から構成されている。制御部８は、入力された信号に応じて発光モジュール６に供給する電流値等を制御するマイクロコンピュータ、プロセッサなど、または専用回路によってこれらの動作を実現する。
【００５１】
２つの電源部９１、９２は、各々の発光モジュール６を発光させるための電力を生成する電源回路によって構成されている。２つの電源部９１、９２は、例えば、電力系統から供給される電力を、整流、平滑及び降圧等して所定レベルの直流電力に変換し、当該直流電力を第１発光モジュール６に供給する。２つの電源部９１、９２は、制御線、電力系統の電力線等によって電気的に接続される。
【００５２】
一方の電源部９１は白色光源６１の各々に電力を供給し、他方の電源部９２は青色光源６２の各々に電力を供給する。２つの電源部９１、９２は、制御部８により制御されることで、各発光モジュール６への電力供給をオン及びオフする。例えば、リモコン等の操作部を介して点灯の操作を受けた場合には、制御部８は、２つの電源部９１、９２から電力を発光モジュール６に供給し、発光モジュール６の白色光源６１及び青色光源６２を点灯させる。また、操作部が消灯の操作を受けた場合には、制御部８は、２つの電源部９１、９２からの発光モジュール６への電力の供給を遮断することで、発光モジュール６の白色光源６１及び青色光源６２を消灯する。
【００５３】
このような光環境演出装置１では、例えば、白色光源６１及び青色光源６２から出射した光は、筐体３における底壁部３１ａの光拡散面４１に入射して拡散する。光拡散面４１は青色の非鏡面であるため、光拡散面４１で拡散した光は、青色の光成分（青色光）を有する。底壁部３１ａの光拡散面４１で拡散したこの光の一部は、光拡散板５の入射面５ａに入射する。光拡散板５の入射面５ａに入射した光は、一部が光拡散板５で拡散されて光拡散板５から出射し、一部が光拡散板５の入射面５ａで反射して底壁部３１ａに向かう。そして、底壁部３１ａに向かった光は、再度、光拡散面４１で拡散される。
【００５４】
このように、光拡散板５の出射面５ｂからは、青色の光拡散面４１で拡散され、かつ、光拡散板５で拡散された光が出射されるため、光環境演出装置１の大型化が抑制されるとともに、光環境演出装置１から疑似的な屋外光が出射される。
【００５５】
また、白色光源６１及び青色光源６２から出射した光は、底壁部３１ａの光拡散面４１と光拡散板５の入射面５ａとで、反射と拡散とを繰り返すため、白色光源６１及び青色光源６２を光拡散板５から離間させなくてもよい。
【００５６】
さらに、この光環境演出装置１では、例えば、白色光源６１及び青色光源６２の調光制御を行うことで、光拡散板５の出射面５ｂをグラデーション模様のように見せることができる。例えば、制御部８が青色光源６２から出射する光の明るさを小さくし、制御部８が白色光源６１から出射する光の明るさを大きくすれば、光拡散板５の出射面５ｂからは、白色光源６１が明るい側から遠ざかるに従って淡い青色から濃い青色へと変化するグラデーションの光が出射する。このため、太陽の存在を感じとれるような演出を行うことができる。一方で、制御部８が青色光源６２から出射する光の明るさを大きくし、制御部８が白色光源６１から出射する光の明るさを小さくすれば、光拡散板５の外側に太陽が存在するような、深みのある青色光が光拡散板５の出射面５ｂから出射する。
【００５７】
［作用効果］
次に、本実施の形態における光環境演出装置１の作用効果について説明する。
【００５８】
上述したように、本実施の形態に係る光環境演出装置１は、光源６０と、透光性を有する光拡散板５と、光源６０を収容する筐体３とを備える。また、筐体３は、筐体３の内面に青色の非鏡面である光拡散面４１を有する。さらに、光源６０から出射した光は、光拡散面４１に入射する。そして、光拡散板５は、光拡散面４１で拡散した光を透過させるように筐体３に固定されている。
【００５９】
このように、青色の非鏡面とする光拡散面４１に光を出射すると、光拡散面４１で拡散した光が、さらに、光拡散板５を透過する際に光拡散板５で拡散されて出射する。このため、光拡散板５からは、疑似的な屋外光が出射されるため、自然に近い採光環境を演出することができる。
【００６０】
また、この光環境演出装置１では、光源６０から出射した光が光拡散面４１に入射して拡散されて、光拡散板５の入射面５ａに入射する構成であるため、光源６０を光拡散板５の近くに配置することができる。
【００６１】
したがって、光環境演出装置１の大型化を抑制するとともに、疑似的に屋外光を出射することができる。
【００６２】
特に、この光環境演出装置１では、光拡散板５を設けることで、発光モジュール６を点灯させていない場合でも、光環境演出装置１の内部構造であるテクスチャを視認し難い。このため、自然に近い採光環境を損ね難い。
【００６３】
特に、この光環境演出装置１では、光源６０、青色の光拡散面４１を有する筐体３、及び光拡散板５といった簡易な構造で自然に近い採光環境を演出することができるため、製造コストが高騰化し難い。
【００６４】
また、本実施の形態に係る光環境演出装置１は、さらに、光が通過する開口部３５が形成された枠部３２を備える。また、平面視した場合に、枠部３２は、光源６０を覆うように設けられる。そして、光拡散板５は、開口部３５を覆うよう枠部３２に固定されている。
【００６５】
このように、枠部３２を平面視した場合に、枠部３２が光源６０を覆っているため、光源６０から出射される光による不自然な輝度ムラ及び色ムラを視認し難くなる。このため、自然に近い採光環境を損ね難い。
【００６６】
また、本実施の形態に係る光環境演出装置１において、枠部３２は、開口部３５に沿って、開口部３５から筐体３の内部に突出する立壁部３４を有する。
【００６７】
このように、立壁部３４が開口部３５に沿って筐体３の内部に突出しているため、光源６０から出射される光を遮断することができる。このため、光環境演出装置１を光拡散板５の外側から見た場合でも、不自然な輝度ムラ及び色ムラをより視認し難くなる。
【００６８】
また、本実施の形態に係る光環境演出装置１において、枠部３２の内周面３２ａは、光の反射を抑制する黒色又は青色である。
【００６９】
このように、立壁部３４の内周面３４ａに光が入射しても、光の反射が抑制されるため、内周面３４ａが光拡散板５に映り込み難くなる。このため、自然に近い採光環境を損ね難い。
【００７０】
また、本実施の形態に係る光環境演出装置１において、光拡散板５は、光拡散面４１の一部である筐体３の底壁部３１ａと対向するように配置される。そして、光源６０は、光源６０の光軸Ｊが筐体３の底壁部３１ａと交差する姿勢で筐体３に配置される。
【００７１】
このように、筐体３における底壁部３１ａの光拡散面４１に照射された光が拡散され、底壁部３１ａと対向する光拡散板５に入射するため、疑似的な屋外光を出射することができる。
【００７２】
また、本実施の形態に係る光環境演出装置１において、光源６０は、白色光を出射する白色光源６１、及び青色光を出射する青色光源６２の少なくとも一方を有する。
【００７３】
このように、白色光及び青色光の少なくとも一方が光拡散面４１に照射されることで、光環境演出装置１から疑似的な屋外光を出射することができる。
【００７４】
また、本実施の形態に係る光環境演出装置１において、光拡散面４１では、反射する光のうち正反射する光が２０％以下である。
【００７５】
このように、光拡散面４１では反射する光のうち８０％以上もの光が拡散反射するため、自然に近い採光環境をより演出することができる。
【００７６】
（実施の形態の変形例１）
［構成］
本変形例に係る光環境演出装置１００の構成について、図４及び図５を用いて説明する。
【００７７】
図４は、本変形例に係る光環境演出装置１００における収容部３１の内面のグラデーション模様を示す図である。図５は、本変形例に係る光環境演出装置１００の出射面を示すイメージ図である。図４では、光拡散層４０の厚みを省略している。
【００７８】
実施の形態の光環境演出装置１では、収容部３１内の光拡散面４１の色味を一様にしているが、本変形例では、収容部３１内の光拡散面１４１の色味にグラデーション模様を施している点で相違する。
【００７９】
また、本変形例の光環境演出装置１００は、特に明記しない場合は、実施の形態と同様であり、同一の構成については同一の符号を付して構成に関する詳細な説明を省略する。
【００８０】
図４に示すように、収容部３１の内面には、収容部３１の中心から遠ざかるに従い次第に青色の濃淡が淡くなるグラデーション模様が施されている。具体的には、本変形例において、収容部３１における底壁部３１ａの略中央を基準位置Ｐ１と設定すると、基準位置Ｐ１から遠ざかるに従い青色が淡くなっている。
【００８１】
このような光環境演出装置１００では、光源６０が光を出射すると、図５に示すように、光環境演出装置１００における光拡散板５の中央部分から青色光が出射し、中央部分から遠ざかるに従い淡い青色光（青色光から白色光に近い光）が出射される。
【００８２】
このような本変形例に係る光環境演出装置１００において、光拡散面１４１には、基準位置から遠ざかるに従って、青色の濃淡が淡くなるグラデーション模様が施されている。
【００８３】
このように、光拡散板５から出射する光が濃い青色光から淡い青色光に次第に変化しているため、より自然に近い採光環境を演出することができる。
【００８４】
本変形例における他の作用効果についても、実施の形態と同様の作用効果を奏する。
【００８５】
（実施の形態の変形例２）
［構成］
本変形例に係る光環境演出装置２００の構成について、図６及び図７を用いて説明する。
【００８６】
図６は、本変形例に係る光環境演出装置２００における収容部３１の内面のグラデーション模様を示す図である。図７は、本変形例に係る光環境演出装置２００の配光を示すイメージ図である。図６では、光拡散層４０の厚みを省略している。
【００８７】
実施の形態の光環境演出装置１では、収容部３１内の光拡散面４１の色味を一様にしているが、本変形例では、収容部３１内の光拡散面２４１の色味にグラデーション模様を施している点で相違する。本変形例では、実施の形態の変形例１とグラデーションの態様が異なっている。
【００８８】
また、本変形例の光環境演出装置２００は、特に明記しない場合は、実施の形態と同様であり、同一の構成については同一の符号を付して構成に関する詳細な説明を省略する。
【００８９】
図６に示すように、本変形例では、基準位置Ｐ２を二点鎖線で示している。収容部３１では、底壁部３１ａの基準位置Ｐ２から遠ざかるに従い青色が淡くなっている。
【００９０】
このような光環境演出装置２００では、光源６０が光を出射すると、図７に示すように、光環境演出装置２００における光拡散板５の一端縁側から他端縁側に向かうに従い、濃い青色光から淡い青色光（白色に近づく色味の光）が出射される。
【００９１】
本変形例における他の作用効果についても、実施の形態と同様の作用効果を奏する。
【００９２】
（その他変形例等）
以上、本発明について、実施の形態及び実施の形態の変形例１、２に基づいて説明したが、本発明は、上記実施の形態及び実施の形態の変形例１、２に限定されるものではない。
【００９３】
例えば、上記実施の形態において、光拡散板の一例として、入射した光がレイリー散乱を起こすレイリー拡散板を用いてもよい。レイリー拡散板は、透光性のあるアクリル等の樹脂を基材とし、内部にナノコンポジット材料を分散させた部材である。ナノコンポジット材料は、例えば、酸化チタン、酸化亜鉛、酸化ジルコニア等の酸化金属である。ナノコンポジット材料の粒子径が光の波長に比べ充分に小さい場合、光拡散板に入射した光は、レイリー散乱を起こす。
【００９４】
また、上記実施の形態において、複数の白色光源及び複数の青色光源は、このような構成に限定されるものではなく、配線基板上にＬＥＤチップが直接的に実装されたＣＯＢ（Ｃｈｉｐ  Ｏｎ  Ｂｏａｒｄ）型のモジュールが用いられてもよい。また、複数の白色光源及び複数の青色光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００９５】
また、上記実施の形態において、制御部は、タイマー機能を有していてもよい。また、制御部は、例えば、所定の時刻になれば（所定の時間を経過すれば）、タイマー機能を用いて、光源の調光制御及び調色制御をしてもよい。
【００９６】
また、上記実施の形態において、光環境演出装置には操作部が電気的に接続されているが、無線通信を行うリモコンにより光環境演出装置を操作（電源のオン、オフ等の操作）することができてもよい。無線通信は、リモコンと無線通信を行う通信部を光環境演出装置に設けることにより実現する。通信部は、例えば、ＺｉｇＢｅｅ（登録商標）、Ｗｉ−Ｆｉ（登録商標）、Ｂｌｕｅｔｏｏｔｈ（登録商標）などの近距離無線機能を有する装置である。
【００９７】
その他、実施の形態及び実施の形態の変形例１、２に対して当業者が思いつく各種変形を施して得られる形態や、本発明の趣旨を逸脱しない範囲で実施の形態及び実施の形態の変形例１、２における構成要素及び機能を任意に組み合わせることで実現される形態も本発明に含まれる。
【符号の説明】
【００９８】
１、１００、２００  光環境演出装置
３  筐体（収容体）
５  光拡散板
６０  光源
３１ａ  底壁部
３２  枠部
３４  立壁部
３４ａ  内周面
３５  開口部
４１、１４１、２４１  光拡散面
６１  白色光源（光源）
６２  青色光源（光源）
【図１】
2018116163.tif 000003
【図２】
2018116163.tif 000004
【図３】
2018116163.tif 000005
【図４】
2018116163.tif 000006
【図５】
2018116163.tif 000007
【図６】
2018116163.tif 000008
【図７】
2018116163.tif 000009